(57)【要約】  電子ペイントを活性化する方法は、電子ペイントに活性化電圧（３０）を印加するステップと、この電子ペイントの電気泳動インク（２２）の一部が放射（３６）を受けるようにするステップとを有する。電気泳動インクは、受けた放射（３６）と印加された活性化電圧（３０）とに基づき活性化される。
2007522494.tif 000002
【特許請求の範囲】
【請求項１】
電子ペイントを活性化させる方法であって、
この電子ペイントに活性化電圧を印加するステップと、
この電子ペイントの電気泳動インクの部分が放射を受けるようにするステップと
この電気泳動インクを、受けた放射と印加された活性化電圧とに基づいて活性化させるステップと
を有する電子ペイントを活性化させる方法。
【請求項２】
請求項１に記載の電子ペイントを活性化させる方法において、
前記電子ペイントが、下部導電層と、この下部導電層上に配置された電気泳動インク層と、この電気泳動インク層上に配置された上部導電層とを有するようにし、
これら上部導電層及び下部導電層間に活性化電圧を印加する方法。
【請求項３】
請求項１に記載の電子ペイントを活性化させる方法において、
電気泳動インクの前記部分が受ける放射が、電子ブラシからのレーザ光の走査ビームからの放射を含むようにする方法。
【請求項４】
請求項１に記載の電子ペイントを活性化させる方法において、
電気泳動インクの前記部分が受ける放射が熱放射を有するようにし、前記活性化電圧を印加する際に前記電気泳動インクがこの熱放射を受けるようにする方法。
【請求項５】
請求項４に記載の電子ペイントを活性化させる方法において、この方法が、
電気泳動インクを冷却するステップと、
電気泳動インクの冷却に基づいて、前記電気泳動インクを所定の光学的状態に安定させるステップと
を有する方法。
【請求項６】
請求項１に記載の電子ペイントを活性化させる方法において、
電気泳動インクの前記部分が受ける放射が光放射を有するようにし、前記活性化電圧を印加する前に電気泳動インクがこの光放射を受けるようにする方法。
【請求項７】
請求項６に記載の電子ペイントを活性化させる方法において、この方法が更に、
前記電気泳動インクを予調整するステップであって、
この電気泳動インクに調整電圧を印加することにより当該電子ペイントを予調整し、前記活性化電圧を印加し前記光放射を加える前に、この調整電圧を印加し取り除く当該ステップを有する方法。
【請求項８】
請求項１に記載の電子ペイントを活性化させる方法において、この方法が更に
活性化電圧を取り除くステップと、
この活性化電圧の除去に応じて電気泳動インクを所定の光学的状態に安定させるステップと
を有する方法。
【請求項９】
請求項１に記載の電子ペイントを活性化させる方法において、この方法が、
電気泳動インクを初期化された光学的状態に初期化するステップを有する方法。
【請求項１０】
電子ペイントを活性化させるシステムであって、
下部導電層と
この下部導電層上に配置された電気泳動インク層と、
この電気泳動インク上に配置された上部導電層と、
これら下部導電層及び上部導電層に電気的に結合した制御部と、
この制御部に結合された電子ブラシと
を有し、
前記制御部は、前記電子ブラシからの熱放射により前記電気泳動インクを光学アドレスするためのコマンド信号を送信するようになっており、
この制御部により前記上部導電層及び前記下部導電層間に活性化電圧を印加して、光学アドレスされた電気泳動インクを活性化させるシステム。
【請求項１１】
請求項１０に記載の電子ペイントを活性化させるシステムにおいて、
前記下部導電層が、反射性金属又は透明電極材料を有するシステム。
【請求項１２】
請求項１０に記載の電子ペイントを活性化させるシステムにおいて、
前記上部導電層が透明電極材料を有するシステム。
【請求項１３】
請求項１０に記載の電子ペイントを活性化させるシステムにおいて、
前記制御部がワイヤにより又はワイヤレスで前記電子ブラシに接続されているシステム。
【請求項１４】
請求項１０に記載の電子ペイントを活性化させるシステムにおいて、このシステムが更に、
下部導電層に結合された支持体層を有するシステム。
【請求項１５】
請求項１４に記載の電子ペイントを活性化させるシステムにおいて、このシステムが更に、
前記支持体層が、電気泳動インク層のピクセルセグメントを熱的に分離する凹領域のアレイを有するシステム。
【請求項１６】
電子ペイントを活性化されるシステムであって、
下部導電層と、
前記下部導電層に配置された電気泳動インク層と、
この電気泳動インク層上に配置された上部導電層と、
前記下部導電層及び前記上部導電層に電気的に結合された制御部と、
この制御部に結合された電子ブラシと
を有し、
前記上部導電層及び前記下部導電層間に調整電圧を印加して、前記電気泳動インクを予調整させ、
前記制御部は、前記電子ブラシからの光放射によりこの予調整された電気泳動インクを光学アドレスするコマンド信号を送信するようになっており、
前記制御部により前記上部導電層及び前記下部導電層間に活性化電圧を印加して、光学アドレスされた電気泳動インクを活性化させるようになっている
電子ペイントを活性化されるシステム。
【請求項１７】
請求項１６に記載の電子ペイントを活性化されるシステムにおいて、
前記下部導電層が、反射性金属又は透明電極材料を有するシステム。
【請求項１８】
請求項１６に記載の電子ペイントを活性化されるシステムにおいて、
前記上部導電層が、透明電極材料を有するシステム。
【請求項１９】
請求項１６に記載の電子ペイントを活性化されるシステムにおいて、
前記制御部が、ワイヤにより又はワイヤレスで前記電子ブラシに接続されているシステム。
【請求項２０】
請求項１６に記載の電子ペイントを活性化されるシステムにおいて、このシステムが更に、
前記下部導電層に結合された支持体層を有するシステム。
【発明の詳細な説明】
【技術分野】
【０００１】
本発明は、広くは、電気泳動型ディスプレイに関するものであり、より具体的には、電子ペイントを光学にアドレスすることに関するものである。
【０００２】
電気泳動型ディスプレイ媒体とは、テキスト又は画像の形態でデジタル情報を記憶させるのに用いられる不揮発性システムである。これらは、一般的には、電界を印加することにより粒子が移動することを特徴としており、バイステイブル表示として、色の明るさ又は暗さのような少なくとも１つの光学的特性において相違する第１及び第２の表示状態を有するディスプレイ素子とすることができる。近年開発された電気泳動型ディスプレイでは、これらの表示状態は、電子インク中のマイクロカプセル化された粒子が所定期間に亘る電子パルスにより一方又は他方の状態に駆動されて生ずるものであり、この被駆動状態は活性化電圧を除去した後でも維持される。このような電気泳動型ディスプレイは、液晶ディスプレイ（ＬＣＤ）と比べて、良好な輝度及びコントラスト、広い視角、２以上の状態に関する状態安定性、低消費電力といった利点を有しうるものである。２０００年５月２３日に発行されたAlbert氏等による米国特許第６０６７１８５号明細書（「Process for Creating an Encapsulated Electrophoretic Display」）及び２０００年１月２５日に発行されたAlbert氏等による米国特許第６０１７５８４号明細書（「Multi-Color Electrophoretic Displays and Materials for Making the Same」）には、セルロース状もしくはゲル状相と液相とを有する、又は２以上の非混合性液体を有するマイクロカプセルを具える代表的な電気泳動型ディスプレイが開示されている。
【０００３】
現在市販されているほとんどの電気泳動型ディスプレイは、データを受信して、ディスプレイ前方又は後方に配置しうるアクティブマトリクスを駆動することによりアドレスされる。しかし、アクティブマトリクス駆動は、低い又は極めて低いリフレッシュ速度が要求されるに過ぎない安価なビルボード型ディスプレイに対しては魅力的な選択肢とは言えない。固有のアドレス法、例えばテキスト及びグラフィックを精密に書き込むためのピクセル格子毎の固定座標を有していない大型の電気泳動型ディスプレイに対しては、電子インクシステムが提案されている。研究者等は、このデジタル又は電子インク技術を、いわゆる電子壁紙、ポスター又は壁スクリーンといった大型電子壁面ディスプレイに適用することにも取り組んでおり、これによればこのような大型電子壁面ディスプレイを薄肉の電気泳動薄膜として壁に配置することがてきるようになる。
【０００４】
電気泳動型ディスプレイは、電気泳動材料及び保護材料からなる各種の層により構成されることが多い。ある種の受動的にアドレスされるディスプレイでは、２つの電極間に電気泳動マイクロカプセル層をはさんでいる。透明保護電極を有するこのような電気泳動型ディスプレイの一つが、２０００年６月２９日に公開された国際公開パンフレットＷＯ００／３８００１の明細書に開示されている（Drzaic氏等「Protective Electrodes for Electrophoretic Displays」）。この保護電極は、金属スクリーン又はワイヤメッシュのような網状導電構造体、或いは導電材料を被覆した又は導電材料に含浸させた網状構造体により気体透過性電極とすることができる。
【０００５】
２００３年１月１６日に公開されたZehner氏等の米国特許出願公開第２００３／００１１８６８号明細書（「Electrophoretic Displays in Portable Devices and Systems for Addressing such Displays」）には、光導電層による電気泳動型ディスプレイのアドレス方法が提案されている。この光導電層がディスプレイの発光層から光を受けると、当該光導電膜のインピーダンスが低下し、電気泳動層が電界を印加することによりアドレス可能となり画像を書き込むことができるようになる。
【０００６】
小型の電気泳動型ディスプレイは、データを受信してディスプレイのアクティブマトリクスを駆動することによりアドレスされるものが多いのに対して、大型の電気泳動型ディスプレイは、精密にテキスト及びグラフィックスを書き込むための固有のアドレス法を有していない場合がある。電気泳動型ディスプレイを外部的にアドレスする様々な方法、システム及び関連装置が提案されてきたが、アドレス速度をゆっくりさせることがなお課題とされている。多くの電気泳動型ディスプレイではスイッチング速度が比較的遅いため、外部アドレス装置が、電気泳動型ディスプレイの電気泳動材料が正常なディスプレイ状態にスイッチングされるのに必要な時間よりも遙かに早く、この電気泳動型ディスプレイに画像データを転送してしまうおそれがあるのである。
【０００７】
電気泳動材料のスイッチング及びアドレス速度は、温度により影響されうる。例えば、２０００年７月２７日に公開された国際公開パンフレットＷＯ００／４３８３５の明細書（Kino氏等「Image Recording Medium, Image Recording/Erasing Device, and Image Recording Method」）には、室温で非流動性で高温で流動性となる材料を用いて設計された紙状の電気泳動型ディスプレイが開示されている。また、２００２年１月２２日に発行されたHoward氏等による米国特許第６３４０９６５号明細書（「Modifiable Display Having Fixed Image Patterns」）や、２００２年１０月１７日に公開されたKawai氏等による米国特許出願公開第２００２／０１５０８２７号明細書（「Electrophoretic Device, Driving Method of Electrophoretic Device, and Electronic Apparatus」）には、電気泳動型ディスプレイの選択領域への書き込みに熱を用いることが記載されている。
【０００８】
電気泳動型ディスプレイのアドレス方法では、熱や光と共に電磁界が使用される。例えば、２００１年１２月１２日に公開されたMiwa氏等による欧州特許第１１６２４９６号明細書（「Image Recording Medium, Image Recording/Erasing Device, and Image Recording Method」）では、レーザビームが加熱用に用いられている。記録媒体は、電磁界に応答する多数の着色微粒子と、これら微粒子が分散している支持媒体とから形成されている。この支持媒体は、室温では非流動性で高温では流動性のものとし、形成された画像が室温でフリーズしうるようにするのが好ましい。
【０００９】
電気泳動型ディスプレイのアドレス処理を補助するために、電気泳動材料上に光導電層のような追加の材料を配置することができるが、これらの追加の層及び材料を加えることにより複雑性及び製造費用が増大してしまう。したがって、受動的にアドレスされる電気泳動システムでは、追加の部材又は複雑性を要することなく、電気泳動材料のスイッチング速度を局所的に変化させる代替的アプローチが必要とされている。改良されたシステムは、現在アドレスされているディスプレイの表面近傍の周辺領域の表示状態に影響を及ぼさず、携帯型活性化装置によりアドレスされる電気泳動型ディスプレイのスイッチング時間をより速くするものでもある。
【００１０】
本発明の一つの形態は、電子ペイントを活性化させる方法である。電子ペイントに活性化電圧を印加する。電子ペイント中の電気泳動インクの一部が放射を受ける。この電気泳動インクは、受けた放射及び印加された活性化電圧に基づいて活性化される。
【００１１】
本発明の他の形態は電子ペイントを活性化させるシステムである。この電子ペイントを活性化させるシステムは、下部導電層と、この下部導電層上に配置された電気泳動インク層と、電気泳動インク上に配置された上部導電層と、これら下部導電層及び上部導電層に電気的に結合された制御部と、この制御部に結合された電子ブラシとを有する。この制御部は、コマンド信号を送り電子ブラシからの熱放射により電気泳動インクを光学的にアドレスするものである。この制御部により、上部導電層及び下部導電層間に活性化電圧を印加し、光学アドレスされた電気泳動インクを活性化させる。
【００１２】
本発明の更に他の形態は電子ペイントを活性化させるシステムである。この電子ペイントを活性化させるシステムは、下部導電層と、この下部導電層上に配置された電気泳動インク層と、電気泳動インク上に配置された上部導電層と、これら下部導電層及び上部導電層に電気的に結合された制御部と、この制御部に結合された電子ブラシとを有する。これら上部導電層及び下部導電層間に調整電圧を印加して、電気泳動インクを予調整する。制御部がコマンド信号を送り、この予調整された電気泳動インクを電子ブラシからの光放射によりアドレスする。この光学アドレスされた電気泳動インクを、制御部により上部導電層及び下部導電層間に印加される活性化電圧により活性化させる。
【００１３】
本発明の上述した及び他の形態並びに本発明の特徴及び利点は、添付図面を参照した以下の本発明の好適例の詳細な説明からより明らかなものとなるであろう。この詳細な説明及び図面は、単に本発明を説明するためのものに過ぎず、これを限定するものではない。本発明の範囲は特許請求の範囲及びその均等物により規定されるものである。
【００１４】
本発明の種々の例を添付の図面により説明する。
図１及び２は、下部導電層２０、電気泳動インク層２２及び上部導電層２４を順次に配置した電子ペイント１０を示す。図１を参照するに、電気泳動インク２２の活性化は、電気泳動インク２２の部分における光学アドレス及び放射吸収と、上部導電層２４及び下部導電層２０間に印加される活性化電圧とに基づくものとなる。電気泳動インク２２の選択部分上に熱又は光放射を照射又は指向させることにより、この電子インクの光学的状態を調整する。印加される活性化電圧から生じる電界が、電気泳動インク２２の粒子を回転及び再配向させ又は移動させ或いはこれらの双方を行わしめる力を発生させ、それにより、テキスト、グラフィック、写真及び他の画像データを表示することができる白黒又は可変色のディスプレイが構成される。電気泳動インク２２は、例えば活性化電圧のタイミング、極性及び大きさに加えて、入射する放射の強度、位置及びタイミングを制御することによりグレートーン又は特定色にすることができる。下部導電層２０には、凹領域２８のアレイを具える又は具えない支持体層２６を結合することができる。
【００１５】
あるモードにおける電気泳動インク２２の光学アドレスは、活性化電圧を印加し、熱放射を選択的に加えて電気泳動インク２２を局部的に加熱して、電気泳動インクを所望の光学的状態にスイッチングさせて、この電気泳動インクを冷却するか若しくは印加した活性化電圧を取り除くことにより電気泳動インクをクエンチング又はフリーズさせることにより行う。
【００１６】
他のモードでは、電気泳動インク２２の光学アドレスは、インクを予調整し、インクの選択部分に光放射を選択的に照射し、その後活性化電圧を印加して電気泳動インクを所望の光学的状態にスイッチングさせることにより行う。電気泳動インク２２は、例えば、活性化電圧を取り除くことによりクエンチング又はフリーズさせることができる。或いは又、活性化電圧を、電子インクの光学アドレス部分をスイッチングさせるのに必要な時間より長く印加して、その後この電圧を取り除くこともできる。
【００１７】
電気泳動インク２２の光学アドレスによれば、電子インクの活性化がスキャン処理より遅い時間尺度で起こる場合であっても、走査光ビーム又は短パルスを用いて電気泳動インク２２が所望の光学的状態に活性化されるよう制御することができる。ある例では、電気泳動インク２２を局所的に加熱することにより、インク中への画像の形成を継続しながら走査光ビームを他の場所で移動しうるようにする短期記憶効果が得られる。他の例では、予調整した電気泳動インク層２２に対する照射の潜在的作用により、所望の画像を書き込み、その後活性化電圧を印加して活性化させることができる。
【００１８】
この電子ペイント１０の光学アドレスを用いて、例えば、携帯型ブラシ又は携帯型デバイスを電子ペイント１０上で移動させてこの電子ペイント１０の一部を局所的又は選択的に加熱又は照射することにより、電子ペイント１０を有する電気泳動型ディスプレイ上へ画像を書き込む。局所的に加熱又は照射された領域の電気泳動インク２２のスイッチング時間はより短くなる。したがって、活性化電圧を上部導電層２４及び下部導電層２０間に印加すると、電気泳動インク層２２を跨いで電界が発生し、加熱された又は予調整及び照射された電気泳動インク２２の領域は、周囲の冷領域又は照射されなかった領域より迅速にスイッチングされる。この電界により電気泳動インク２２がある光学的状態から他の光学的状態まで遷移させられるのである。一例においては、活性化電圧を印加して且つ電気泳動インク２２の一部を暖めた際に、電子ペイント１０のピクセルセグメントが所望の光学的状態にスイッチングされるようにする。他の例では、電気泳動インク２２を予調整し選択的照射を行った後に活性化電圧を印加すると、電子ペイント１０のピクセルセグメントが所望の光学的状態にスイッチングされるようにする。例えば、電気泳動インク２２を白色から黒色にスイッチングすることができる。他の例では、当初の黒色の光学的状態を、制御可能にグレー又は白色の光学的状態にスイッチングさせる。更に他の例では、白色の光学的状態をグレースケールの光学的状態にスイッチングさせる。更に別の例では、活性化電圧と、熱又は光放射とに基づいて、有色の電気泳動的インクをある色から他の色にスイッチングさせる。光学アドレス及びスイッチングの完了後には、電子ペイント１０を組み込んだ電気泳動型ディスプレイは、追加の電力消費なしでも視認可能状態を維持する。
【００１９】
図２を参照するに、電子ペイント１０は、この場合も、下部導電層２０と、この下部導電層２０上に配置された電気泳動インク層２２と、この電気泳動インク層２２上に配置された上部導電層２４とを有する。この積層体の層は、例えば、下部導電層２０に電気泳動インク２２を被着又は堆積し、その後この電気泳動インク２２に上部導電層２４を堆積又は被着させることで順次形成することができる。例えば、下部導電層２０上に電気泳動インク層２２を形成して、その後、インジウムスズ酸化物（ＩＴＯ）のような薄肉の透明電極材料を被覆することができる。他の例では、電気泳動インク層２２が２つの導電層２０及び２４にはさまれるようにすると共に一方の導電層上に接着材料を設けて、この電気泳動インク層２２をプラスチック、ガラス又は金属の支持体層に接着する。パターニング又はマスキング処理を必要としないため、電子ペイント１０は、圧延やスクリーニングや堆積のような他の処理工程を用いて任意の適切な順番で形成することができる。種々の寸法の電子ペイント１０のセクション又はタイルを共に組立てて又は並べて配置することにより、例えば壁又は他の大きな表面に取付けることができるほとんど任意の所望寸法の電気泳動型ディスプレイを形成することができる。電子ペイント１０は、例えば、側部が数センチメートルのものから１メートル×１メートル又はそれ以上の寸法のものまで形成することができる。
【００２０】
電子ペイント１０の代表的な例では、透明な上部導電層２４を介して画像が見えるようにするが、他の例では電子ペイント１０を後方表示とすることもできるし、又は電子ペイント１０を通した透過表示とすることもできる。金属支持体層２６を具える電子ペイント１０を有する反射型ディスプレイは、上部から画像を見るものである。或いは又、下部導電層２０を通して電子ペイント１０を見うるようにし、後方から光学アドレスしうるようにすることもできる。透過型ディスプレイ等の構成では、下部導電層２０を可視光範囲に透明なものとし、電気泳動インク２２を選択的に吸収性のものとして、書き込まれた画像の後方表示又はディスプレイの任意的なバックライティングができるようにする。
【００２１】
走査レーザビームからの熱又は光放射を電子ペイント１０の表面上で走査させることにより、テキスト、グラフィック、図又は写真を含む画像データを電子ペイント１０上へ書き込むことができる。代表的な電子ペイントディスプレイでは、入射する熱放射は、上部導電層２４を通って伝達され電気泳動インク層２２により吸収される。電気泳動インク２２の活性化は、電気泳動インク２２の部分３８における熱放射３６の熱吸収と、上部導電層２４及び下部導電層２０間に印加される活性化電圧３０とに基づき行われる。適切な熱源からの集束熱放射により、電気泳動インク層２２内で局所的に温度が上昇しうるようになる。熱放射３６としては、例えば赤外放射、可視光線若しくは紫外光線又はこれらの組合せが挙げられる。熱放射３６は、例えば、携帯型電子ブラシ内のレーザにより発生させることができ、この電子ブラシに結合した光学スキャナにより電気泳動インク２２の選択部分３８に指向させることができる。電気泳動インク２２が加熱されると、その電気泳動インク２２の高温により、当該インクのスイッチング速度が増大し、電子ペイント１０のピクセルセグメントに所定の書き込みを行うことができる。電気泳動インク層２２が冷却される際に、活性化電圧３０が印加されていれば電気泳動インク２２は意図するディスプレイ状態に遷移し続ける。電気泳動インク２２のこの所望の光学的状態は、電気泳動インク２２を冷却することにより、又は活性化電圧３０を取り除くことにより、或いはこれらの双方を行うことにより固定又はフリーズすることができる。
【００２２】
他の代表的な電子ペイントディスプレイでは、入射する光放射は上部導電層２４を通って伝達され、予調整した電気泳動インク層２２により吸収される。光放射３６としては、例えば赤外放射、可視光線、紫外光線又はこれらの組合せが挙げられる。光放射３６は、例えば携帯電子ブラシ内のレーザにより発生させることができ、この電子ブラシに結合された光学スキャナにより電気泳動インク２２の選択部分３８へ指向させることができる。活性化電圧３０を印加すると、電気泳動インク２２の照射領域が、照射の程度及び活性化電圧３０のレベルに応じてスイッチングされる。電気泳動インク２２は、例えば、上部導電層２４及び下部導電層２０間に調整電圧３２を印加することにより予調整する。
【００２３】
画像を書き込む前に、ディスプレイの電子インク材料２２を良好に規定された状態、例えばマイクロカプセルの頂部に白色粒子が移動した全白色表面の状態にリセットしておかねばならないことがある。電気泳動インク２２は、電界を印加するにより初期化又はリセットされた光学的状態にさせることができ、例えば、電子ペイント１０の上部導電層２４及び下部導電層２０間に比較的高い初期化電圧３４を継続的に印加することにより、活性化電圧３０を１回以上急速に変化させて印加することにより、比較的大きい供給電圧を印加しながら熱放射により電気泳動インク層２２を加熱することにより、又は予調整した又は予調整してない電気泳動インク２２に多量の光をあてその後活性化電圧３０を印加することに行う。
【００２４】
下部導電層２０は、アルミニウム、プラチナ又はクロムのような反射性金属、或いはインジウムスズ酸化物（ＩＴＯ）、ポリフェニレンスルフィド（ＰＰＳ）によりドープされたポリエチレンジオキシチオフェン（ＰＥＤＯＴ）を含む導電性高分子材料又は他の好適な導電性透明材料のような透明電極材料を有する。これらの材料は高い熱伝導率を有しており、金属が薄肉でなかったとしても熱をより迅速に分散させ局所的に画像を広めやすいものである。
【００２５】
電気泳動インク２２は、電界の印加により所望の方位に回転させることができるカプセル化された電気泳動粒子のような電気泳動材料を有する。これら電気泳動粒子は、印加された電界の電界ラインに沿ってそれ自体で配向するもので、光学的状態をスイッチングさせるのに用いた時間並びに電界の方向及び強度に基づいて、ある光学的状態から他の光学的状態にスイッチングしうる。
【００２６】
電気泳動インク２２は、一般に電子インク又はｅインクと称される一種又は複数種の市販の電気泳動インクを含むものとしうる。電気泳動インク層２２は、例えば数百万の微小なマイクロカプセルを含む薄肉の電気泳動薄膜を有し、このマイクロカプセル内では、正に帯電した白色粒子と負に荷電した黒色粒子とが透明流体中に懸濁している。負の電界をディスプレイに印加すると、白色粒子がマイクロカプセルの頂部に移動しこれらの粒子がユーザに見えるようになる。これにより、マイクロカプセルのこの外側面又は頂部の位置において表面が白色に見えるようになる。同時に、電界により黒色粒子がマイクロカプセルの底部に引き下げられ黒色粒子はこの部分で隠れてしまう。このプロセスを逆転させると、黒色粒子がマイクロカプセルの頂部に現れ、それによりマイクロカプセルのこの表面では表面が暗く見えるようになる。活性化電圧を取り除くと、固定された画像がディスプレイ表面に維持される。電気泳動インク２２に、有色の電気泳動材料のアレイを含ませて、有色の画像を生成し表示させることができる。
【００２７】
上部導電層２４は、例えば、上側表示がなされるようにするインジウムスズ酸化物のような透明電極材料を有する。上部導電層２４及び下部導電層２０は、パターン化したり又はいかなるアクティブマトリクスアドレス機能を付与したりする必要はないことを理解されたい。上部導電層２４は、熱又は光レーザ光線の波長に対しては少なくとも透過性とする。
【００２８】
任意であるが、支持体層２６を下部導電層２０に結合させて、ディスプレイ表面の所望の可撓性が維持されるようにしながら、ディスプレイの強度又は保護力を増大させることができる。支持体層２６は、例えば、プラスチックのシート、ガラスのシート、アルミニウム、銅若しくは金属合金のような金属のシート又はセラミック基板とする。支持体層２６には、凹領域２８のアレイを設けて、電気泳動インク層２２のピクセルセグメントを熱的に分離させることができる。電子ペイント１０が光学アドレスされると、電気泳動インク層２２の一部が１以上の凹領域２８の上方で局所的に加熱され、それにより、電気泳動インク２２内の電気泳動粒子が所望の光学的状態にスイッチングされる。ピクセルセグメントを熱分離しておくことにより、スイッチングをより速くし、コントラストをより高くし、隣接領域への画像の滲みをより少なくすることができる。凹領域２８及びその周辺領域の寸法は、電気泳動インク層２２の加熱及び冷却に対して所望の時定数となり、電気泳動インク２２をスイッチングさせるのに所望のレイテンシー時間が得られるように、設定することができる。支持体層２６は、接着、付着又はその他の方法で電子ペイント１０の下部導電層２０に取付けることができる。
【００２９】
凹領域２８は、局所的に分離された小さな点又は領域により構成することができる。一例において、凹領域２８の寸法は、ディスプレイのピクセル寸法程度にする。他の例では、凹領域２８の寸法をディスプレイのピクセル寸法よりかなり小さくして、電気泳動インク２２を活性化させるために用いられるレーザ光線からの熱放射により複数の凹領域２８が照射されるようにする。凹領域のアレイは、例えば、マゼンタ、黄色及びシアンの電気泳動材料のアレイとして、又はマゼンタ、黄色、シアン及び黒色の電気泳動材料のアレイとして、又は透過型ディスプレイでは赤色、緑色及び青色の電気泳動材料のアレイとして構成することができる。
【００３０】
図３は、制御部４０、電子ブラシ５０及び電子ペイント１０を有する電子ペイントを活性化させるシステムを示す。電子ブラシ５０は、レーザスキャナ５２及び位置検出器５４を有する。電子ペイント１０は、下部導電層２０、電気泳動インク層２２及び上部導電層２４を有する。下部導電層２０は、例えば、反射性金属材料又は透明電極材料を有する。上部導電層２４は、例えば透明電極材料を有する。
【００３１】
下部導電層２０及び上部導電層２４には、制御部４０が電気的に結合されている。制御部４０は、電子ブラシ５０からの熱又は光放射により電気泳動インク２２を光学アドレスするためのコマンド信号を送信する。電気泳動インク２２の活性化は、電子ブラシ５０から電気泳動インク２２の部分３８への熱又は光放射３６と、電子ペイント１０の上部導電層２４及び下部導電層２０間に制御部４０により印加される活性化電圧３０とに基づき行われる。制御部４０により上部導電層２４及び下部導電層２０間に活性化電圧３０を印加することで、光学アドレスされた電気泳動インク２２を活性化させる。印加された活性化電圧３０と、電気泳動インク２２の部分３８に向けられた入射熱又は光放射３６とにより、１以上のピクセルを電子ペイント１０に所望するように書き込むことができる。電子ペイント１０に初期化電圧３２を印加して、電気泳動インク２２を初期化された光学的状態にさせることができる。上部導電層２４及び下部導電層２０間に調整電圧３４を印加して、電気泳動インク２２を予調整することができる。熱又は光放射３６は、例えば、電子ブラシ５０内のレーザ光源から発生させることができ、レーザスキャナ５２により電子ペイント１０の所望する部分に指向させることができる。位置検出器５４は、所望の画像を正確に書き込むために位置や回転のような位置入力を提供する。
【００３２】
代表的な電子ペイント活性化システムは、電子ブラシ５０に電気的に結合された制御部４０を有し、この制御部が、電子ブラシ５０からの熱及び光放射３６を制御すると共にその他の初期化及び書き込み作用を行う。マイクロプロセッサ、マイクロコントローラ、フィールドプログラマブルゲートアレイ（ＦＰＧＡ）又はその他のデジタル装置のような制御部４０は、マイクロコードの指示を受信してこれを実行し、電子ペイント１０上へ所望の画像を書き込むことができる。制御部４０は、電子ブラシ５０の決定された位置に基づいて、レーザスキャナ５２と、電気泳動インク２２に当たる光とを制御する。
【００３３】
制御部４０は、適切なシリアル又はパラレルインターフェースにより、電子ブラシ５０にワイヤで又はワイヤレスで接続することができる。例えば、パーソナルコンピュータ（ＰＣ）、ラップトップコンピュータ又はパーソナル携帯情報端末（ＰＤＡ）内に制御部４０を設け、Ｂｌｕｅｔｏｏｔｈ（登録商標）又は８０２．１１プロトコルのような短距離無線接続又はケーブルにより電子ブラシ５０に接続することができる。或いは又、制御部４０を電子ブラシ５０内に設け、メモリースティックのようなメモリ装置を介して、或いは任意的に通信ネットワーク４２に接続されているＰＣ、ラップトップコンピュータ又はＰＤＡからのアップリンクを介して、画像データを電子ブラシ５０及び制御部４０に供給する。制御部４０は、ローカルエリアネットワーク（ＬＡＮ）、広域ネットワーク（ＷＡＮ）又はインターネットのような通信ネットワーク４２に接続して、電子ペイント１０上へ画像を送り活性化するための情報を送受信するようにしうる。
【００３４】
電子ペイント１０の表面で電子ブラシ５０を移動（ストローク）させたり掃引させたりすると、レーザスキャナ５２からの熱又は光放射３６が、電気泳動インク２２の部分に選択的に指向され画像データが書き込まれる。レーザスキャナ５２が電子ペイント１０を光学アドレスする際には、活性化電圧３０を固定レベルに設定することができる。或いは又、レーザスキャナ５２からの熱又は光放射３６が電子ペイント１０の表面を跨いで走査する際に、位置検出器５４が制御部４０による電子ブラシ５０の位置及び回転の決定を可能とするセンサ情報を供給するようにしながら、活性化電圧３０が連続的に変化するようにしうる。画像データは、電子ブラシ５０で画像を書き込む際にリアルタイムで供給されるようにしてもよいし、又は画像が書き込まれるまで電子ブラシ５０内に記憶させておくこともできる。
【００３５】
一例においては、プラスチックのシート又はガラスのシートのような支持体層２６を下部導電層２０に結合して、望ましい剛性及び耐久性が得られるようにすると共に、ピクセル及びピクセルセグメントを隣接ピクセルから熱的に分離するの補助する。支持体層２６には、電気泳動インク層２２内のピクセルセグメントを熱的に分離する凹領域のアレイを設けることができる。
【００３６】
図４は、電気泳動インクに関するスイッチング時間対温度のプロットを示す。スイッチング応答曲線６０及び６２は、所定温度まで加熱してその後活性化電圧により活性化した電気泳動インクの２つのサンプルを示す。光検出器及びしきい値検出器を用いて各温度におけるスイッチング時間を測定した。スイッチング応答曲線６０は、摂氏２０度から摂氏６０度まで温度が上昇することによりスイッチング時間が約１５０ミリ秒から５０ミリ秒未満まで短縮されることを示している。スイッチング応答曲線６２は、スイッチング時間が摂氏２５度の約７０ミリ秒から摂氏５８度の約３０ミリ秒まで短くなることを示している。
【００３７】
本発明の一例では、レーザからの熱放射により電気泳動インク層を摂氏６０度の温度まで局所的に加熱すると同時に、約５０ミリ秒の短い電圧パルスを印加する。局所的に加熱された領域では、電気泳動インクはスイッチングするのに充分な時間があることになる。室温に近い他の領域では、電気泳動インクはスイッチングするために１５０ミリ秒以上のパルス期間を必要とし、５０ミリ秒の短い時間では電気泳動インクに充分な作用を及ぼせない。このようにして、電気泳動インクは光学アドレスされ、活性化電圧の印加により活性化される。
【００３８】
図５Ａ、図５Ｂ、図５Ｃ、図５Ｄ及び図５Ｅは、電子ペイント１０の活性化方法を示す線図である。電子ペイント１０を集束熱放射にさらし、この熱放射により電子ペイント１０内の電気泳動インク２２の部分を制御しスイッチングさせることができる。これらの横断面図は、選択された部分に熱放射を加えると共に種々の初期化電圧及び活性化電圧を印加させた際における、下部導電層２０及び上部導電層２４間での電気泳動インク２２の粒子の方位を線図的に示すものである。円球は電気泳動粒子を示しており、これら粒子は上方を向いた際にその方位に応じて黒色又は白色が見えるようになっている。連続的なグレーレベルは、領域における粒子の平均回転量を制御することにより達成することができる。白色及び黒色粒子をスイッチングするこれらの考え方は、着色した粒子をスイッチングするのにも容易に拡張して適用することができる。
【００３９】
初期化及び活性化電圧の極性、電子インクの色、各種層の厚さ並びに各ピクセルへ書き込みを行う際のアスペクト比は、線図的に且つ分かり易いように選択してある。電圧、電子インクの色、構成層の寸法及び相対的厚さ並びにピクセル寸法は、特許請求の範囲に記載された本発明の精神及び範囲から逸脱することなく上述したものから大きく変えることができる。
【００４０】
図５Ａには、無秩序な光学的状態が示されており、ここではこれら粒子の集合が視聴者にグレー又は中間色に見える。代わりに、この初期の光学的状態は、以前に書き込んだ画像で表される場合もある。初期化電圧３２を、高いレベルで長時間に亘り電気泳動インク２２に印加することで電気泳動インク２２を初期化して、図５Ｂに示すような全白色表面に相当する初期状態にする。初期化電圧３２は、例えば、比較的高い直流電圧又はパルス電圧にすることができる。電気泳動インク２２を初期化した後にこの初期化電圧３２を取り除き、電気泳動インクを初期状態に維持する。
【００４１】
画像を電気泳動インク２２に移す際には、図５Ｃに示すように、上部導電層２４及び下部導電層２０間に活性化電圧３０を印加する。活性化電圧３０は、初期化電圧３２と反対の極性を有し、電気泳動インク２２の選択部分を初期状態から所定の光学的状態にスイッチングさせる。光学アドレスを行うまでに電気泳動インク２２がスイッチングしないように、活性化電圧３０は低いレベルに設定する。
【００４２】
図５Ｄに示すように、電気泳動インク２２の一部に熱放射ビーム３６を加える。電気泳動インク２２が加熱されてそれによりスイッチングされる。ピクセルセグメントは、活性化電圧３０及び加えられた熱放射３６のレベルに応じて、例えば、当初の白色の光学的状態から黒色の光学的状態までスイッチングされるが、隣接する領域の電気泳動インク２２は白色のままである。熱放射３６及び活性化電圧３０が取り除かれると、その後に再書き込みがなされるまで、電気泳動インク２２は図５Ｅに示すようにスイッチングされた光学的状態に維持される。
【００４３】
図６は、図２及び図５の横断面図により示される代表的な電子ペイントを活性化させる方法のフロー図である。このフロー図は、２つの導電層にはさまれた電気泳動インク層を、熱放射により光学アドレスする方法を説明するものである。
【００４４】
ブロック７０において電気泳動インクを含む電子ペイントが初期化される。電気泳動インクは、電気泳動インクの種類と印加する供給電圧の種類とに応じて、例えば、全部白色、全部黒色又は有色の光学的状態に初期化することができる。電気泳動インクの初期化は、例えば、負の電源電圧を印加し電子ペイントに多量の熱放射を加えるか又は掃引することにより、電気泳動インク中の電気泳動粒子を初期状態にスイッチングさせることで達成される。電気泳動インクは、この最初の光学的状態から、電気泳動インクに加わる駆動力に基づいて共通の一つの方向に向くよう調整することができる。電子ペイントはこの初期状態で不確定期間に亘り保持しておくこともできるし、直ちに書き込むこともできる。或いは又、電気泳動インクは、供給電圧を１以上急速に変化させて印加することにより、又は高レベルの供給電圧を持続的に印加することにより初期化することもできる。
【００４５】
電気泳動インクへの書き込むを行う際には、ブロック７２において活性化電圧を印加する。活性化電圧は、電気泳動インクを間に挟んでいる上部導電層及び下部導電層間に印加する。一例において、活性化電圧は、電気泳動インクの初期化状態に応じて正電圧又は負電圧に固定する。電圧は、所望のレベルにランプさせて印加することができる。他の例では、画像データ及びレーザ光の走査ビームの位置に基づいて活性化電圧を変化させることにより、電気泳動インクに対する駆動力を制御する。
【００４６】
ブロック７４では、電気泳動インクの選択部分が熱放射を受ける。印加された活性化電圧と相俟って、電気泳動インクが活性化されて所望の光学的状態にスイッチングされる。光エネルギが吸収される際に、電気泳動インクの局部温度が下がり、電気泳動インクが活性化され所望の光学的状態にスイッチングされる。一例においては、電気泳動インクを選択的に加熱しながら、活性化電圧を印加してこれを保持する。他の例では、電気泳動インク層を局所的に摂氏約６０度の高温に加熱すると共に、約５０ミリ秒の短い活性化電圧パルスを印加する。電気泳動インクは、局所的に加熱された領域ではスイッチングするのに充分な時間があるが、他の領域では、短いパルス時間では電気泳動インクをスイッチングするには不十分となる。他の例では、電圧パルスを一定に保ち、レーザ出力により局部温度を変化させる。更に他の例では、電気泳動インクを局所的に加熱し、パルス幅変調を用いて５０ミリ秒より短い期間で活性化電圧パルスを印加して電気泳動インク上にグレーレベルを書き込む。
【００４７】
熱放射は、例えばレーザスキャナから受けるようになっており、このレーザスキャナは電気泳動インク層の一部を局所的に加熱する赤外線、可視光線又は紫外線のような熱放射を放出し指向させる。熱放射は、電子ブラシからレーザ光の走査ビームから受けるようにしうる。電子ブラシは、例えば、レーザスキャナ及び１つ以上の位置検出器を有する。位置検出器からの検出信号により電子ブラシの位置及び回転を決定する。レーザスキャナを駆動して電子ブラシからレーザ光を電子ペイント上へ指向させることにより画像を移すことができるようになる。
【００４８】
ブロック７６において電気泳動インクを冷却する。電気泳動インクが冷却されると、書き込まれた画像がフリーズまたロックされ、電気泳動インクが所望の光学的状態で安定する。電子ブラシ又は他の熱付活体を熱アドレス層の加熱部分から離しても、熱アドレス層の加熱部分は、冷却する際に電気泳動インクのスイッチングを継続しうる。冷却があまりに急であると、熱の放散が急激になり電気泳動インクが不完全にスイッチングされてしまうおそれがある。熱アドレス層の冷却の制御を補助するために、電子ペイントの支持体層に凹領域のアレイを設け、電気泳動インク層のピクセルセグメントを熱的に分離することができる。電気泳動インクの光学的状態は、電気泳動インクがまだ温かい場合でも、活性化電圧の除去によってもフリーズ又はロックされる。
【００４９】
一例においては、電気泳動インク層を短時間の間入射熱放射に曝すことにより、加熱領域付近の電気泳動インクを急速且つ完全にスイッチングさせる。他の例では、入射熱放射の程度及び冷却速度を制御して、加熱領域から入射熱放射源を離した後であっても電気泳動インクが中間状態に到達しうるようにする。
【００５０】
電気泳動インクの他の部分は、局所的に所望のピクセルセグメントを加熱しそれにより電気泳動インクを活性化させることにより、光学アドレスして書き込むことができる。電子ペイントの全部分に画像データを書き込むには、電子ペイントの一部を活性化させるステップを、他の部分を活性化させるステップと並行して又は順次に行うことにより、或いはこれらを組合せて行うことにより、各部の光学的状態が所望のレベルに設定されるようにする。例えば、電子ブラシを有する電子ペイントシステムにおいては、この電子ブラシを電子ペイントの表面で動かすか、又はこの表面から持ち上げて新たな移動（ストローク）を開始することで、電子ペイントの追加の部分に画像データを書き込む。
【００５１】
電子ペイントに所望の画像が書き込まれると画像が見えるようになる。更なるリフレッシュ又は新たな画像の書き込みは、前の画像を書き込んでから、例えば数分、数時間、数日、数週間又は数月以内であっても所望に応じて行うことができる。
【００５２】
電気泳動インクディスプレイを光学アドレスする他の例では、電気泳動インクを予調整しておき光放射により書き込みを行い、その後電気泳動インクを跨いで活性化電圧を印加することにより活性化させる。
【００５３】
図７は、予調整を行った場合及び行わない場合の電気泳動インクのスイッチング時間のプロットである。光検出器で測定した予調整していない及び予調整した電気泳動インクの応答曲線を任意単位で示す。予調整していない電気泳動インクの応答曲線６４は、第１の状態から第２の状態へ変化してその後再び元の状態へ戻る電気泳動インクの代表的なスイッチング時間の応答曲線を示している。予調整していない電気泳動インクにおける第１の状態から第２の状態へのスイッチング時間は、５０〜１５０ミリ秒程度である。予調整した場合の応答曲線６６は、予調整した電気泳動インクのものよりもスイッチング時間がかなり長くなることを示している。電気泳動インクの予調整は、例えば、比較的高い調整電圧を持続的に印加することにより達成される。予調整のステップ中は、光を加える必要はない。この調整電圧により電気泳動インクの応答時間が変化して、予調整した電気泳動インクのスイッチング時間がかなり長くなる。予調整した電気泳動インクは、応答曲線６６に示されるように２秒もの長いスイッチング時間を有する。
【００５４】
但し、この予調整された電気泳動インクの延長されたスイッチング時間は、光を加えることで元に戻すことができる。この特徴を利用することにより、光放射を使用して電気泳動インクを光学アドレスすることができる。
【００５５】
図８Ａ、図８Ｂ、図８Ｃ、図８Ｄ、図８Ｅ及び図８Ｆは、本発明の他の例による電子ペイント１０の活性化方法を示す。これらの断面図は、電気泳動インク２２の選択部分に対して、光放射を加えると共に調整電圧、初期化電圧及び活性化電圧を印加した場合の下部導電層２０及び上部導電層２４間での電気泳動インク２２の粒子の方位を示すものである。図５に関して説明したように円球は電気泳動粒子を示しており、これら粒子は上方を向いた際にその方位に応じて黒色又は白色が見えるようになっている。連続的なグレーレベルは、粒子の平均回転量を制御することにより達成することができる。白色及び黒色粒子をスイッチングするこれらの考え方は、着色した粒子をスイッチングするのにも容易に拡張して適用することができる。
【００５６】
図８Ａには、無秩序な光学的状態が示されており、ここではこれら粒子の集合が視聴者にグレー又は中間色に見えている。代わりに、この初期の光学的状態は、前に書き込んだ画像で表される場合もある。初期化電圧３２を、高いレベルで長時間に亘り電気泳動インク２２を跨いで印加することで電気泳動インク２２を初期化して、図８Ｂに示すような全白色表面に相当する初期状態にする。電気泳動インク２２を初期化した後には、この初期化電圧３２を取り除き、電気泳動インク２２を初期化状態に保持する。
【００５７】
電気泳動インク２２に画像を移す又は書き込む際には、図８Ｃに示すように、上部導電層２４及び下部導電層２０間に調整電圧３４を印加する。この調整電圧３４は、初期化電圧３２と同じ極性を有し、電気泳動インク２２の光学的状態は維持される。調整電圧３４は、例えば３０ボルトの電圧が約３分間に亘り印加されるよう設定する。一旦予調整がされたら、電気泳動インク２２は光学アドレスを用いて書き込みうるものとなる。
【００５８】
図８Ｄに示すように、電子ブラシ又はその他のアドレス装置から、電気泳動インク２２の一部に光放射３６のビームを印加する。この光放射３６が電気泳動インク２２に吸収されると、予調整の効果が元に戻り照射されたピクセルのスイッチング時間が短くなる。照射されなかったピクセルは、延長されたスイッチング時間のまま維持される。光放射による光学アドレス中に、初期化電圧、調整電圧又は活性化電圧を印加する必要はない。
【００５９】
図８Ｅに示すように、上部導電層２４及び下部導電層２０間に活性化電圧３０を印加する。活性化電圧３０が印加されると、それ以前に照射されていた電気泳動インク２２の領域は、所望の光学的状態にスイッチングされる。この活性化電圧３０を印加する時間は、それ以前に照射されていた電気泳動インク２２の領域はスイッチングされるが、照射されなかった予調整領域は光学的状態を有意にスイッチング又は変化させるには不十分となる時間を選択する。光学アドレスされたピクセルセグメントは、活性化電圧３０及び加えられた光放射３６のレベルに応じて、当初の白色の光学的状態から所定の光学的状態までスイッチングされる。その後、活性化電圧３０を取り除いて電気泳動インク２２の光学的状態をフリーズ又はロックさせる。電気泳動インク２２は、その後の再書き込みがなされるまで、図８Ｅに示すようにスイッチングされた光学的状態に維持される。
【００６０】
図９は、本発明の他の例による電子ペイントを活性化させる方法を示すフロー図である。このフロー図は、光放射を用いて、電子ペイントの２つの導電層間の電気泳動インク層を光学アドレスする方法を示す。
【００６１】
ブロック８０において電気泳動インク層を含む電子ペイントを初期化する。電気泳動インクは、例えば、負の持続的な電圧を電気泳動インクに印加することにより初期化され、この電気泳動インクは、全白色又は全黒色のような初期化された光学的状態にスイッチングされる。
【００６２】
ブロック８２において電気泳動インクを予調整する。電気泳動インクは、高レベルの供調整電圧を持続的に印加することにより予調整し、この電気泳動インクのスイッチング時間を遅くする。電気泳動インクを予調整したらこの調整電圧を取り除き、電気泳動インクを書き込み準備ができた状態にする。一例においては、３０ボルトの調整電圧を３分間印加して電気泳動インクを予調整する。
【００６３】
ブロック８４において、例えば携帯型電子ブラシからのレーザ光の走査ビームにより得られる光放射を、電気泳動インクの選択部分に適用する。この光放射は、電気泳動インクを光学アドレスする赤外、可視又は紫外放射を含みうるものである。このステップで、電気泳動インクを跨いで印加された電圧を取り除く。電気泳動インクの全部分が所望のように光学アドレスされ、局所的にスイッチング時間が短くなる。電子ペイントに書き込みを行ったら、電気泳動インクを活性化させることができる。
【００６４】
ブロック８６において、上部導電層及び下部導電層間に活性化電圧を印加して電気泳動インクを活性化させる。電気泳動インクは、受けた光放射及び印加された活性化電圧に基づいて活性化される。活性化電圧が印加されると、電気泳動インクの光学アドレスされた領域は、アドレスされてない予調整領域よりもスイッチング速度が速いため、電気泳動インクは所望の光学的状態にスイッチングされる。
【００６５】
ブロック８８において、電気泳動インクが所望の光学的状態に達したら活性化電圧を取り除く。書き込まれた画像は、フリーズ又はロックされ、電気泳動インクは所望の光学的状態で安定する。電子ペイントに所望の画像を書き込んで活性化させると、画像が見えるようになる。更なるリフレッシュ又は新たな画像の書き込みは、前の画像を書き込んでから、例えば数分、数時間、数日、数週間又は数月以内であっても所望に応じて行うことができる。
【００６６】
本明細書に開示した本発明の実施例は、好ましいと考えられるものであり、本発明の精神及び範囲から逸脱することなく種々の変形及び変更を行うことができる。本発明の範囲は特許請求の範囲により定められるものであり、均等の範囲及びその意味に含まれる全ての変更は、本発明の範囲に含まれることを意図するものである。
【図面の簡単な説明】
【００６７】
【図１】図１は、本発明の一例による支持体層を有する電子ペイントを示す線図である。
【図２】図２は、本発明の一例による支持体層を有する電子ペイントを示す横断面図である。
【図３】図３は、本発明の一例による電子ペイントを活性化させるシステムを示す線図である。
【図４】図４は、本発明の一例による電気泳動インクのスイッチング時間対温度をプロットとしたグラフである。
【図５】図５Ａ、図５Ｂ、図５Ｃ、図５Ｄ及び図５Ｅは、本発明の一例による電子ペイントを活性化させる方法を示す線図である。
【図６】図６は、本発明の一例による電子ペイントを活性化させる方法を示すフロー図である。
【図７】図７は、本発明の一例による予調整した及び予調整していない電気泳動インクのスイッチング時間をプロットしたグラフである。
【図８】図８Ａ、図８Ｂ、図８Ｃ、図８Ｄ、図８Ｅ及び図８Ｆは、本発明の他の例による電子ペイントを活性化させる方法を示す線図である。
【図９】図９は、本発明の他の例による電子ペイントを活性化させる方法を示すフロー図である。
【図１】
2007522494.tif 000003
【図２】
2007522494.tif 000004
【図３】
2007522494.tif 000005
【図４】
2007522494.tif 000006
【図５Ａ】
2007522494.tif 000007
【図５Ｂ】
2007522494.tif 000008
【図５Ｃ】
2007522494.tif 000009
【図５Ｄ】
2007522494.tif 000010
【図５Ｅ】
2007522494.tif 000011
【図６】
2007522494.tif 000012
【図７】
2007522494.tif 000013
【図８Ａ】
2007522494.tif 000014
【図８Ｂ】
2007522494.tif 000015
【図８Ｃ】
2007522494.tif 000016
【図８Ｄ】
2007522494.tif 000017
【図８Ｅ】
2007522494.tif 000018
【図８Ｆ】
2007522494.tif 000019
【図９】
2007522494.tif 000020
【国際調査報告】
2007522494.tif 000021
2007522494.tif 000022